(57)【要約】【課題】３Ｄ画像を使用した電子カタログ制作システムを提供する。【解決手段】３次元商品イメージデータを提供するシステムであって、記録媒体、ディスプレイの有無等によってカタログ形態を変えるために商品を分類する商品分類手段２と、分類された商品を登録した商品カタログデータベースを参照して電子カタログの共通項目の標準化を図り標準化パターンをデータベースに保管する電子カタログ標準化手段３と、商品カタグデータベースに無い商品の３Ｄ画像を生成してデータベースに格納する３Ｄ画像生成手段４と、３Ｄ画像と音声信号の同期処理等を行う音声処理手段６と、電子カタログ標準化パターンを基に商品の３Ｄ画像と音声信号を編集して３Ｄ電子カタログを制作しデータベースに格納する３Ｄ電子カタログ制作手段５と、制作した３Ｄ電子カタログを記録媒体に記録するカタログ記録出力手段７と、を備えたものである。【選択図】          図１
2004310610.tif 000002
【特許請求の範囲】
【請求項１】
３次元商品イメージデータを用いた３次元モデル電子カタログ制作のためのコンピュータシステムであって、
記録媒体、ディスプレイの有無等の３次元画像表示を行う上で必要な機能の有無又は違いによってカタログ形態を変えるために商品を分類して商品カタログデータベースに登録する商品分類手段と、
前記商品カタログデータベースを参照して分類された商品区分毎に共通項目の抽出を行い、抽出された各商品カタログの標準化パターンを３次元モデル電子カタログデータベースに保管する電子カタログ標準化手段と、
商品の３次元画像を生成して前記３次元モデル電子カタログデータベースに格納する３次元画像生成手段と、
前記３次元画像と音声信号との同期等の３次元画像に対する音声処理を行う音声処理手段と、
前記商品の３次元画像と音声信号を用い、前記標準化パターンを基に３次元モデル電子カタログを編集・制作して３次元モデル電子カタログデータベースに格納する３次元モデル電子カタログ制作手段と、
制作した前記３次元モデル電子カタログを記録媒体に記録し、Ｗｅｂブラウザを介して出力するための電子カタログ記録出力手段と、を備えることを特徴とする電子カタログ制作システム。
【請求項２】
前記３次元モデル電子カタログ制作手段は、画面中央にインタラクティブ操作が可能な商品の３次元画像を表示し、周囲の所定の領域に標準化パターン名と標準化パターンに付随するサブ項目とを文字表示したインデックス画面を表示して、ユーザが前記標準化パターン名から前記サブ項目を選択することで対応する項目画面が切替わるページ切換え方式によって３次元モデル電子カタログのページレイアウトを構成することを特徴とする請求項１に記載の電子カタログ制作システム。
【請求項３】
前記標準化パターンは、少なくとも、「安全」、「各部の名称説明」、「使用方法」、「異常時の判別」及び「設置・接続」を意図する名称を共通パターン名とし、商品毎にその内容を入替え、３次元画像を差替えるだけで異なる商品の３次元モデル電子カタログを制作できるようにすることを特徴とする請求項１又は２に記載の電子カタログ制作システム。
【請求項４】
前記標準化パターンは、「メモリカードの使い方」、「機器の使用方法」等の複数のサブ項目で構成され、該当商品の３次元画像、アニメーション動画による操作方法の明示、音声ガイダンスと操作音等による操作説明及び文字説明文を含むことを特徴とする請求項２又は３に記載の電子カタログ制作システム。
【請求項５】
前記３次元モデル電子カタログ制作手段は、前記電子カタログの表示画面上にお客様相談窓口等のコールセンターを呼出す機能を有し、前記コールセンターと画面上で双方向に交信可能であることを特徴とする請求項２に記載の電子カタログ制作システム。
【請求項６】
３次元画像表示対象の前記商品は、自動的にアドレスを取得して動作するネットワーク環境下において、ネットワーク側から制作した３次元モデル電子カタログ及び表示ソフトウェア等の３次元画像表示のためのファイルをダウンロードできる構成であることを特徴とする請求項１に記載の電子カタログ制作システム。
【請求項７】
前記３次元画像生成手段は、商品を撮影してシルエット法、スリット法等による画像処理を行って３次元画像を生成することを特徴とする請求項１に記載の電子カタログ制作システム。
【発明の詳細な説明】
【０００１】
【発明の属する技術分野】
本発明は、商品カタログを３次元モデル、アニメーション動画を用いて作成する電子カタログ制作システムに関するものである。
【０００２】
【従来の技術】
従来の電子カタログとしては、例えば、特許文献１に開示の「電子カタログ作成装置」がある。図６は従来の電子カタログ作成装置の構成図であり、電子カタログ作成装置１００は、インターネット等のネットワーク１２０を介して顧客端末１３０と接続し、マスターデータ取得手段１１０、データ変換手段１１１、カタログデータ格納手段１１２、カタログデータ作成手段１１３、印刷カタログデータ格納手段１１７、電子記憶媒体カタログデータ格納手段１１８、ウエブカタログデータ格納手段１１９を備えている。そして、カタログデータ作成手段１１３は、印刷カタログデータ作成手段１１４、電子記憶媒体カタログデータ作成手段１１５、ウエブカタログデータ作成手段１１６を備えている。
【０００３】
マスターデータ取得手段１１０は、印刷カタログ及び電子カタログを作成するための商品に関するマスターデータを取得する。このマスターデータ取得手段１１０は、マスターデータを顧客端末１３０からネットワーク１２０を介して取得したり、他の入力手段により入力したりする。又、マスターデータは顧客端末１３０からアクセス可能なマスターデータ格納手段１３１に格納されている。
データ変換手段１１１はマスターデータ取得手段１１０により取得したマスターデータを、印刷カタログ及び電子カタログを作成するためのカタログデータへ変換する。カタログデータ格納手段１１２は、データ変換手段１１１によって変換されたカタログデータを格納する。電子記憶媒体カタログデータ作成手段１１５は、データ変換手段１１１により変換したカタログデータに基づいて、あるいはカタログデータ格納手段１１２に格納されたカタログデータに基づいて、電子記録媒体用のカタログデータを作成し、電子記憶媒体カタログデータ格納手段１１８に格納する。ウエブカタログデータ作成手段１１６は、データ変換手段１１１により変換したカタログデータか、カタログデータ格納手段１１２に格納されているカタログデータに基づいて、ウエブ用のカタログテータを作成し、ウエブカタログデータ格納手段１１９に格納する。
【０００４】
【特許文献１】
特開２００３−３６３９４号公報（段落［００２５］〜［００４５］、図１）
【０００５】
【発明が解決しようとする課題】
しかしながら、上記従来技術では、マスターデータ（商品データ）をカタログデータに変換して、印刷カタログの他にＣＤ−ＲＯＭ等の記録媒体に記録することや、Ｗｅｂブラウザで表示するための電子カタログを作成する手順が示されているが、印刷カタログのアナログデータをデジタルデータに変換しただけで、内容は印刷カタログと同じ電子カタログを作成しているだけなので、余りデジタル化した意味が無く、デジタル化、Ｗｅｂ対応等による特性を活かした電子カタログを制作しているとは言えないという問題があった。
【０００６】
そこで、本発明は、デジタルデータの特徴を活かした３Ｄ（３次元）画像、アニメーション動画、音声情報等の組合せにより、印刷カタログの２次元の世界とは異なる次元の情報を展開し、且つ、多数の商品向けに電子カタログの標準化を図ることができる電子カタログ制作システムを提供することを目的としている。
【０００７】
【課題を解決するための手段】
上記目的を達成するため、請求項１に記載の発明は、３次元商品イメージデータを用いた３次元モデル電子カタログ制作のためのコンピュータシステムであって、記録媒体、ディスプレイの有無等の３次元画像表示を行う上で必要な機能の有無又は違いによってカタログ形態を変えるために商品を分類して商品カタログデータベースに登録する商品分類手段と、前記商品カタログデータベースを参照して分類された商品区分毎に共通項目の抽出を行い、抽出された各商品カタログの標準化パターンを３次元モデル電子カタログデータベースに保管する電子カタログ標準化手段と、商品の３次元画像を生成して前記３次元モデル電子カタログデータベースに格納する３次元画像生成手段と、前記３次元画像と音声信号との同期等の３次元画像に対する音声処理を行う音声処理手段と、前記商品の３次元画像と音声信号を用い、前記標準化パターンを基に３次元モデル電子カタログを編集・制作して３次元モデル電子カタログデータベースに格納する３次元モデル電子カタログ制作手段と、制作した前記３次元モデル電子カタログを記録媒体に記録し、Ｗｅｂブラウザを介して出力するための電子カタログ記録出力手段と、を備えることを特徴としている。
また、請求項２に記載の前記３次元モデル電子カタログ制作手段は、画面中央にインタラクティブ操作が可能な商品の３次元画像を表示し、周囲の所定の領域に標準化パターン名と標準化パターンに付随するサブ項目とを文字表示したインデックス画面を表示して、ユーザが前記標準化パターン名から前記サブ項目を選択することで対応する項目画面が切替わるページ切換え方式によって３次元モデル電子カタログのページレイアウトを構成することを特徴としている。
また、請求項３に記載の前記標準化パターンは、少なくとも、「安全」、「各部の名称説明」、「使用方法」、「異常時の判別」及び「設置・接続」を意図する名称を共通パターン名とし、商品毎にその内容を入替え、３次元画像を差替えるだけで異なる商品の３次元モデル電子カタログを制作できるようにすることを特徴としている。
また、請求項４に記載の前記標準化パターンは、「メモリカードの使い方」、「機器の使用方法」等の複数のサブ項目で構成され、該当商品の３次元画像、アニメーション動画による操作方法の明示、音声ガイダンスと操作音等による操作説明及び文字説明文を含むことを特徴としている。
また、請求項５に記載の前記３次元モデル電子カタログ制作手段は、前記電子カタログの表示画面上にお客様相談窓口等のコールセンターを呼出す機能を有し、前記コールセンターと画面上で双方向に交信可能であることを特徴としている。
また、請求項６に記載の３次元画像表示対象の前記商品は、自動的にアドレスを取得して動作するネットワーク環境下において、ネットワーク側から制作した３次元モデル電子カタログ及び表示ソフトウェア等の３次元画像表示のためのファイルをダウンロードできる構成であることを特徴としている。
また、請求項７に記載の前記３次元画像生成手段は、商品を撮影してシルエット法、スリット法等による画像処理を行って３次元画像を生成することを特徴としている。
【０００８】
【発明の実施の形態】
以下、本発明の実施の形態について図を参照して説明する。
図１は本発明の実施の形態に係る電子カタログ制作システムの構成図である。
図２は図１のシステムにおける電子カタログのインデックス画面を示す図である。
図３は図１に示す商品分類手段の処理の説明図である。
図４は図１に示す標準化手段の処理の説明図である。
図５は図１に示す３Ｄ画像生成手段の構成図である。
【０００９】
図１において、１はサーバやデータベースで構成される電子カタログ制作センターである。２は商品分類手段であって、例えば、図３の分類例に示すように、該当商品を表示ディスプレイや記録媒体の有無等の、３Ｄ画像を表示する上で必要な機能の有無又は違いによって商品群を３種類に分類して商品カタログデータベースに登録する。３は電子カタログ標準化手段であって、図４の例に示すように、商品に関係なく一般化できる内容を抽出する。例えば、「安全」、「各部の名称説明」、「使用方法」「異常時の判別」、「設置・接続」等の取扱説明に関する各構成要素の夫々から、３Ｄ画像・音声／操作音等に関する共通項目を抽出して分類し商品区分毎に標準パターン化する。４は３Ｄ画像生成手段であって、図５に示すような構成により該当商品を撮影して３Ｄ画像を生成する。５は電子カタログ制作手段であって、電子カタログ標準化手段３により作成したカタログパターンに基づいて、３Ｄ画像生成手段４による商品の３Ｄ画像と、音声処理手段６による合成音声、アナウンス音声、操作音等の音声ガイダンス等を加えて電子カタログを編集・制作する。
【００１０】
７は電子カタログ記録・出力手段であって、電子カタログ制作手段５で編集・制作した３次元モデル電子カタログをメモリカード等の記録媒体に記録し、またＷｅｂブラウザで表示するためのファイルを出力する。９はＷｅｂサーバであって、インターネット等の通信ネットワーク１５を介し、Ｗｅｂブラウザ上で表示する電子カタログとしてユーザ１３、１４等に広域配信する。又、電子カタログ制作センター１では、顧客端末１２から電子カタログの制作依頼を受け付けて、各種電子カタログの委託制作も行う。８はデータベースサーバであって、商品カタログデータベース１０と３Ｄ電子カタログデータベース１１のアクセスを管理している。商品カタログデータベース１０は商品カタログデータのライブラリであって、２次元の印刷カタログデータとして「安全上の注意」、「準備」、「使用法」、「再生」、「編集」等に分類して、分類項目毎に画像と文字の商品カタログデータを格納している。３Ｄ電子カタログデータベース１１は、商品カタログデータベース１０の２次元のカタログデータを基に、共通項目を標準パターン化して作成した３次元モデル電子カタログの標準化テンプレートと、生成した商品の３Ｄ画像と、その３Ｄ画像とテンプレートを基に制作した３次元モデル電子カタログを格納している。
【００１１】
次に動作について説明する。
先ず、商品分類手段２によって、電子カタログを制作しようとしている該当商品の商品分類を、例えば、図３に示すように、商品の表示ディスプレイや記録媒体の有無を判断して、ビデオカメラ、ＤＶＤレコーダ、携帯電話機、プレイヤー、デジタルカメラ、カーナビゲーション、ＰＣ（パーソナルコンピュータ）等の、表示ディスプレイや記録媒体を内蔵していて各商品単独で電子カタログの表示が可能なＡＶ（オーディオビジュアル）関連商品と、デイプレイも記録媒体も内蔵していないので取り敢えずは印刷カタログを配布するか、又はＰＣ等を用いて３Ｄ画像表示させる洗濯機、ディスポーザ、皿洗い機、炊飯器、ファンヒータ等の製品と、小さな表示部やメモリ等の３Ｄ画像表示の際に部分的に活用可能な機能を有する中間商品の電子レンジ、冷蔵庫、エアコン、ジャー等との、３種類に分類して、例えば、ＡＶ関連商品の中のデジタルカメラ等を対象に電子カタログ制作を開始する。
【００１２】
対象商品は多数に及ぶので、説明を簡単にするために、以下デジタルカメラを一例として説明する。
電子カタログ標準化手段３により、データベースサーバ８を介して商品カタログデータベース１０から、従来の２次元の商品カタログデータ（又は取扱説明書）を読込み、分類された商品区分毎に３次元モデル電子カタログの標準化パターンを作成する。
例えば、図４に示すように、「安全」、「各部の名称説明」、「使用方法」、「異常時の判別」、「設置・接続」、の各パターンに集約し、「安全」と言うパターンに対しては、サブ項目として「危険」、「警告」、「注意」の３段階の内容等を規定して、夫々３Ｄ電子カタログの編集画面上に表示する。
【００１３】
次に、「各部の名称説明」のパターンは、カメラ前後面、上下面の各部品の構成や、電池の充電の仕方、カードの入れ方、等の説明のサブ項目を含んでおり、３Ｄ画像と音声ガイダンス及びシャッター音等の操作音等も取入れ組合せて構成されている。
なお、商品の３Ｄ画像は予め商品を提供する企業等から入手して商品カタログデータベース１０或いは３Ｄ電子カタログデータベース１１に登録しておくことも可能であるが、３Ｄ画像が存在しない商品の場合は、例えば、図５に示すような３Ｄ画像生成手段等により、本体、付属品を撮影して３Ｄ画像を作成する。３Ｄ画像は実写に限らずＣＧ（コンピュータグラフィックス）による画像でも勿論構わない。
図５に示す構成では、５１がオブジェクト５３（デジタルカメラ等）を載置して３６０°回転スキャンするターンテーブルであり、５２はクロマキーに用いる緑、青等の単原色の背景パネルである。５４はＣＣＤ等を用いた撮像カメラで、５５はライティング用照明である。５６はターンテーブル５１の回転をサーボ制御するテーブル回転制御部である。
【００１４】
５７はカメラ５４とライティング５５を制御してキャリブレーションを行い、撮像データのガンマ補正等の画像処理を行う撮影手段で、５８はテーブル回転制御の回転角を制御して所定角毎にサンプリング画像を収集する連続画像作成手段で、これらによってスキャンテーブルと単一カメラ５４による３次元モデリング装置を構成する。３Ｄ画像生成ソフトウェアには市販のＡｕｔｏＣＡＤ、ｓｔｌ（商品名）等が用いられる。
５９は連続画像から各シルエット（輪郭）を抽出して３Ｄ形状を推定するシルエット法等により３Ｄ画像を作成する３Ｄ画像作成手段であり、６０は、このようなモデリングで生成した３Ｄ画像に、カラー、テクスチャマッピング等の編集を行う３Ｄ画像編集手段で、６１は生成した３ＤオブジェクトデータをＶＲＭＬ（Ｖｉｒｔｕａｌ  Ｒｅａｌｉｔｙ  Ｍｏｄｅｌｉｎｇ  Ｌａｎｇｕａｇｅ）等のＷｅｂ用データに変換する３Ｄオブジェク生成手段である。６２は３Ｄオブジェクトを３Ｄ  ＳＴＵＤＩＯ  ＭＡＸ（商品名）等によりアニメーション処理するビヘイビアデータ生成手段である。
【００１５】
このような、シルエット法では、カメラキャリブレーションを、例えば、ワールド座標系とカメラ座標系と画像座標系の対応関係を算出して、画像座標系の点をワールド座標系の点に変換して、ソフトウェア上の画像処理が可能なように調整する。
キャリブレーションが済んだら、所定のスキャン回数（例えば、３６回ならば１０°毎に画像を取り込み、７２回なら５°毎に取り込む）で連続画像作成手段５８によってテーブル回転制御部５６を制御し、撮影手段５７を介してオブジェクト５３の撮像を行う。３Ｄ画像作成手段５９は、予め撮影した背景パネル５２の画像と、現在のカメラ画像との差分の背景差分を取ることによりオブジェクト５３のシルエット情報を取得して、カメラキャリブレーションによって得られたカメラパラメータと、背景差分によって得られたオブジェクトのシルエット画像から、再帰的な八分木構造を持つ立方体を３次元空間に配置してオブジェクトのシルエットの交差判定により、３次元モデリングを行って３Ｄ画像を生成する。
【００１６】
このようにして生成された商品（例えば、デジタルカメラ）本体や付属品の３Ｄ画像を用いて電子カタログを制作するが、例えば、「各部の名称説明」のパターン内では、商品毎に異なるサブ項目がツリー構造で付加される。一例として「電池を充電する」と言った項目の説明ページの場合は、
１、付属の単３形２次電池を充電器に入れる。
２、充電ランプが消灯すると満充電完了。
と言う操作手順を、３Ｄ画像を使ったアニメーション動画と音声ガイダンスを用いて、２本の単３電池の＋−の差込み方向と位置を正しく指示する、等とする。
【００１７】
続けてサブ項目の「注意事項」として、
ａ、電池が確実に入っていることを確認して下さい。
ｂ、充電完了後は充電器を電源コンセントから外して下さい。
ｃ、電池容量を使い切ってから充電して下さい。
ｄ、充電は周囲温度が常温の所で行って下さい。
ｅ、充電開始後、動作表示ランプが点滅したら充電エラーですので充電器を一旦コンセントから抜いて、周囲温度等を確認してやり直して下さい。
等を文字で掲載すると共に音声ガイダンスによる説明を付加する。
この他、多くの説明が加わるが、商品毎に異なるこれらのサブ項目は、ツリー構造により必要な部分を追加できるようにして、「各部の名称説明」という構造を表す「第１パターン名」を標準化する。他のパターン名も同様に設定する。
【００１８】
次に、図２に示すような電子カタログのインデックス画面（又は、編集画面）により、３Ｄ電子カタログの編集・制作を行う。
図２に示す電子カタログのインデックス画面は、中心にプレビュー画面として移動、回転、ズーム等のインタラクティブ操作が可能な商品の３Ｄ画像２０を配置し、電子カタログ標準化手段３により設定したパターン１〜４、項目イ〜ホと、自動車、カメラ、自転車等の商品名Ａ〜Ｄと、アニメーション作成や音声生成等の各ツールＡ、Ｂ、Ｃの各ボタンが配置されている。
ここでは、図２の画面を電子カタログのインデックス画面として、パターン、項目の各ページをツリー構造で呼出し、画面を切換えてアニメーション制作・音声生成等のツールによる３Ｄ画像編集を行って３Ｄ電子カタログを制作する。制作した３Ｄ電子カタログは他のアクセサリー等の３Ｄ画像と共に、３Ｄ電子カタログデータベース１１に格納される。
【００１９】
最後に、カタログ記録出力手段７によって、制作済みの３Ｄ電子カタログを記録装置（図示せず）を用いてメモリカード（ＣＤ、ＤＶＤ等の他の記録媒体でもよい）に書込み、記録して３Ｄ電子カタログとして提供する。
このメモリカードカタログは、カメラ側に３Ｄ表示ソフト等が内蔵されていればカメラで見ることが可能であるが、カメラの表示部（１．５型等の小型ディスプレイ）による３Ｄ電子カタログの表示は、表示サイズや画素数等の制約により余り効果的ではないので、ＰＣ画面による再生を主に想定したものとなる。
従って、電子カタログ制作センター１は、ユーザ端末１３、１４等によるユーザの希望によって、インターネット１５等を介しＷｅｂブラウザ上で表示する３Ｄ電子カタログ（ネートワーク型カタログとも言う）を提供することも可能であり、メモリカードとの２通りの方法を提供している。
また、電子カタログ制作センター１は、ｅ−コマース企業等の顧客端末１２から３Ｄ電子カタログの制作依頼を受けて、３Ｄ電子カタログの委託制作ビジネスを請け負うこと等もできる。
【００２０】
次に、カスタマーサポートサービス（お客様相談窓口）とのリンクについては、図４の項目説明中のアフターサービス（お客様相談窓口）の欄や、図２に示すインデックス画面のサポートサービス等のフリーダイヤル番号表示（○○○○−ＸＸＸ−ＹＹＹ等）２１をユーザがクリックすると、ＩＰ電話（インターネット電話）や、バックアップ機能を有するＣＴＩ（Ｃｏｍｐｕｔｅｒ  Ｔｅｌｅｐｈｏｎｙ  Ｉｎｔｅｇｒａｔｉｏｎ）等のシステム（図示せず）によって、直接フリーダイヤル先のメーカーのサービス担当員に繋がり、ユーザとメーカーのサービス担当員がＰＣの同じ画面を見ながら、同時に通常会話をすることも可能になるので操作方法や修理方法等の具体的な説明や指示が、通信ネットワーク１５を介したデータ、音声の同時サービスによって、インタラクティブ且つスピーディに快適なサービスが提供されるようになる。
また、カスタマーサポートサービスの形態は、経費削減環境に在ってサポートサービスの人員、施設の拡張が不可能なメーカーに肩代わりして、外部委託のＡＳＰ（Ａｐｐｌｉｃａｔｉｏｎ  Ｓｅｒｖｉｃｅ  Ｐｒｏｖｉｄｏｒ）形式のサポートサービス請負業者によるサービスを提供する方式であってもよい。
【００２１】
また、図３の商品分類に示したように、モバイルやＡＶ関連製品の他の、表示ディスプレイや記録媒体を内蔵していない電器製品・家電製品等は、メモリカード等に記録した電子カタログをＰＣで再生したり、ＨＴＭＬ形式等でダウンロードしたりしてＰＣ上で見ることが可能であるが、プラグ＆プレイ等のホームネットワークが外部のインターネットと緊密にリンクされる状況が展開されたら、これら電器・家電製品も夫々自動的にアドレスを取得してネットワークに組込まれることになるので、ネットワーク側からネットワーク型カタログとして３Ｄ電子カタログの提供を受ける形態が自然となる。
【００２２】
なお、ここまでは、デジタルカメラを例に説明したがこれに限定するものではなく、ビデオカメラ、ＴＶ、ＤＶＤ、ＰＣを始めその他の家電製品や、自動車、オートバイ、自転車、ロボット、玩具、家具類、装飾品等のあらゆる製品の電子カタログにも適用可能なことは勿論である。
【００２３】
【発明の効果】
以上説明したように、本発明によれば、３次元商品イメージデータを提供する３次元モデル電子カタログ制作システムであって、記録媒体、ディスプレイの有無等によってカタログ形態を変えるために商品を分類し、分類された商品を登録した商品カタログデータベースを参照し、商品カタログデータベースから抽出した共通項目を基に電子カタログを標準パターン化して３Ｄ電子カタログデータベースに保管し、また、商品カタログデータベースに無い商品の３Ｄ画像を生成して同様に３Ｄ電子カタログデータベースに格納し、３Ｄ画像と音声信号の同期処理等を行い電子カタログの標準化パターンを基に商品の３Ｄ画像と音声信号を編集して３Ｄ電子カタログを制作して３Ｄ電子カタログデータベースに格納し、３Ｄ電子カタログデータベースに格納された３Ｄ電子カタログを記録媒体に記録するか或いはＷｅｂを介して出力するように構成したので、デジタル情報の特徴を３Ｄ画像、アニメーション動画、音声情報等の組合せによって活かすことができ、２次元の世界とは異なるより現実感のある３次元の情報を活用することで、更に多数の商品向けに電子カタログの標準化を図ることができると言う効果がある。
【図面の簡単な説明】
【図１】本発明の実施の形態に係る電子カタログ制作システムの構成図である。
【図２】図１のシステムにおける電子カタログのインデックス画面を示す図である。
【図３】図１に示す商品分類手段の処理の説明図である。
【図４】図１に示す標準化手段の処理の説明図である。
【図５】図１に示す３Ｄ画像生成手段の構成図である。
【図６】従来の電子カタログ作成装置のブロック図である。
【符号の説明】
１    電子カタログ制作センター
２    商品分類手段
３    電子カタログ標準化手段
４    ３Ｄ画像生成手段
５    電子カタログ制作手段
６    音声処理手段
７    電子カタログ記録出力手段
８    データベースサーバ
９    Ｗｅｂサーバ
１０    商品カタログデータベース
１１    ３Ｄ電子カタログデータベース
１２    顧客端末
１３、１４    ユーザ端末
２０    商品３Ｄ画像
２１    相談窓口電話番号
５１    テーブル
５２    背景  ５３    オブジェクト
５４    カメラ
５５    ライト
５６    テーブル回転制御
５７    撮影手段
５８    連続画像作成手段
５９    ３Ｄ画像作成手段
６０    ３Ｄ画像編集手段
６１    ３Ｄオブジェクト生成手段
６２    ビヘイビアデータ生成手段
【図１】
2004310610.tif 000003
【図２】
2004310610.tif 000004
【図３】
2004310610.tif 000005
【図４】
2004310610.tif 000006
【図５】
2004310610.tif 000007
【図６】
2004310610.tif 000008